(57)【要約】【課題】液晶パネルにおける画像の焼き付きを防止すること。【解決手段】表示システムが、画像を形成する液晶パネルと、前記液晶パネルによって形成される前記画像の水平位置および垂直位置を規定するタイミング発生回路と、所定時間長さの経過を検出する計時カウンタと、を備えている。ここで、前記計時カウンタが前記所定時間長さの経過を検出する毎に、前記タイミング発生回路は、前記水平位置および前記垂直位置の少なくとも一方を変える。【選択図】図４
2009163172.tif 000002
【特許請求の範囲】
【請求項１】
画像を形成する液晶パネルと、
前記液晶パネルによって形成される前記画像の水平位置および垂直位置を規定するタイミング発生回路と、
所定時間長さの経過を検出する計時カウンタと、
を備え、
前記計時カウンタが前記所定時間長さの経過を検出する毎に、前記タイミング発生回路は、前記水平位置および前記垂直位置の少なくとも一方を変える、
表示システム。
【請求項２】
画像を形成する液晶パネルと、
前記液晶パネルによって形成される前記画像の水平位置および垂直位置を規定するタイミング発生回路と、
画像信号に応じて前記画像のシーンチェンジを検出するシーンチェンジ検出器と、
累積時間を計測し、計測した前記累積時間が所定時間長さに達したことを検出する計時カウンタであって、前記シーンチェンジ検出器が前記シーンチェンジを検出した場合に前記計測した前記累積時間を初期化する計時カウンタと、
を備え、
前記累積時間が前記所定時間長さに達したことを前記計時カウンタが検出する毎に、前記タイミング発生回路は、前記水平位置および前記垂直位置の少なくとも一方を変える、
表示システム。
【請求項３】
画像を形成する液晶パネルと、
前記液晶パネルによって形成される前記画像の水平位置および垂直位置を規定するタイミング発生回路と、
所定時間長さの経過を検出する計時カウンタと、
を備え、
前記計時カウンタが前記所定時間長さの経過を検出する毎に、前記タイミング発生回路は、前記水平位置および前記垂直位置の少なくとも一方を変える、
プロジェクタ。
【請求項４】
画像を形成する液晶パネルと、
前記液晶パネルによって形成される前記画像の水平位置および垂直位置を規定するタイミング発生回路と、
画像信号に応じて前記画像のシーンチェンジを検出するシーンチェンジ検出器と、
累積時間を計測し、計測した前記累積時間が所定時間長さに達したことを検出する計時カウンタであって、前記シーンチェンジ検出器が前記シーンチェンジを検出した場合に前記計測した前記累積時間を初期化する計時カウンタと、
を備え、
前記累積時間が前記所定時間長さに達したことを前記計時カウンタが検出する毎に、前記タイミング発生回路は、前記水平位置および前記垂直位置の少なくとも一方を変える、
プロジェクタ。
【発明の詳細な説明】
【技術分野】
【０００１】
本発明はプロジェクタなどの表示システムに関する。
【背景技術】
【０００２】
液晶パネルにおける画像の焼き付きを防止する技術として、Ｖ反転方式、Ｓ反転方式、Ｈ反転方式、およびドット反転方式などの交流駆動方式が知られている（例えば、特許文献１）。
【０００３】
【特許文献１】特開平１０−７３８０２号公報
【発明の開示】
【発明が解決しようとする課題】
【０００４】
しかしながら、交流駆動方式によって液晶パネルの画素部に印加される電圧の極性が所定のタイミングで反転される場合であっても、液晶パネルにおける同一の画素部に同じ大きさの電圧が印加され続けた場合には、液晶パネルの特性に起因して、焼き付きが生じることがある。
【課題を解決するための手段】
【０００５】
本発明は、上記課題の少なくとも一部を解決するようになされ、以下の形態または適用例として実現される。
【０００６】
［適用例１］表示システムが、画像を形成する液晶パネルと、前記液晶パネルによって形成される前記画像の水平位置および垂直位置を規定するタイミング発生回路と、所定時間長さの経過を検出する計時カウンタと、を備えている。ここで、前記計時カウンタが前記所定時間長さの経過を検出する毎に、前記タイミング発生回路は、前記水平位置および前記垂直位置の少なくとも一方を変える。
【０００７】
上記構成によれば、計時カウンタが所定時間長さの経過を検出する毎に、画像の水平位置や垂直位置が変わるので、液晶パネルにおける同一の画素部に同じ大きさの電圧が印加され続ける可能性が低下し、そしてこのため、形成された画像の焼き付きの可能性が低下する。
【０００８】
［適用例２］表示システムが、画像を形成する液晶パネルと、前記液晶パネルによって形成される前記画像の水平位置および垂直位置を規定するタイミング発生回路と、画像信号に応じて前記画像のシーンチェンジを検出するシーンチェンジ検出器と、累積時間を計測し、計測した前記累積時間が所定時間長さに達したことを検出する計時カウンタであって、前記シーンチェンジ検出器が前記シーンチェンジを検出した場合に前記計測した前記累積時間を初期化する計時カウンタと、を備えている。ここで、前記累積時間が前記所定時間長さに達したことを前記計時カウンタが検出する毎に、前記タイミング発生回路は、前記水平位置および前記垂直位置の少なくとも一方を変える。
【０００９】
画像にシーンチェンジがあれば、シーンチェンジの前後で液晶パネルの同一画素部に同じ大きさの電圧が印加される可能性が低くなる。そこで、上記適用例では、シーンチェンジが検出される場合に、計時カウンタが計測している累積時間が初期化されるので、画像の焼き付きの可能性を低下させつつ、画像の水平位置や垂直位置を変える回数を減らせる。
【００１０】
なお、上記適用例１または２の表示システムは、プロジェクタの形態としても実現され得る。
【発明を実施するための最良の形態】
【００１１】
以下、表示システムがプロジェクタである場合を例に採り、図面を参照しつつ実施形態を説明する。なお、以下に示す実施形態は、特許請求の範囲に記載された発明の内容を何ら限定するものではない。
【００１２】
（実施形態１）
図１の表示システム１はプロジェクタである。具体的には、表示システム１は、入力端子１１と、書込同期発生部１２と、Ａ／Ｄ変換器１３と、フレームメモリ装置１４と、読出同期発生部１５と、Ｄ／Ａ変換器１６と、タイミング発生回路１７と、駆動回路１８と、液晶パネル１９と、制御部２２と、光源部２０と、投写光学系２１と、を備えている。なお、他の形態ではプロジェクタに代えて、表示システム１が直視型の液晶モニタであってもよい。
【００１３】
入力端子１１には、パーソナルコンピュータなどの外部装置（不図示）から、画像信号ＩＶ１と、画像信号ＩＶ１に同期した同期信号（水平同期信号ＨＳ１および垂直同期信号ＶＳ１）と、が供給される。なお、本実施形態では、入力端子１１に供給される画像信号はアナログＲＧＢ信号であるが、他の形態ではデジタル信号であってもよい。また、図１では、同期信号と画像信号ＩＶ１とが共通の入力端子１１に供給されているが、画像信号ＩＶ１と同期信号とが互いに同期している限り、別々の端子に供給されてもよい。
【００１４】
入力端子１１に供給された水平同期信号ＨＳ１と垂直同期信号ＶＳ１は、書込同期発生部１２に供給される。そして、書込同期発生部１２は、同期信号のうちの水平同期信号ＨＳ１に基づいて、ドットクロック信号ＤＣ１を生成する。ドットクロック信号ＤＣ１は、水平同期信号ＨＳ１の周波数が逓倍されて得られる周波数を有し、画像信号ＩＶ１のドット周波数を表している。
【００１５】
入力端子１１に供給された画像信号ＩＶ１は、Ａ／Ｄ変換器１３に供給される。Ａ／Ｄ変換器１３は、ドットクロック信号ＤＣ１に同期して画像信号ＩＶ１をデジタル化し、このことで画像信号ＩＶ１に基づいた画像信号ＩＶ２を生成する。
【００１６】
画像信号ＩＶ２は、ドットクロック信号ＤＣ１と、水平同期信号ＨＳ１と、垂直同期信号ＶＳ１と、に同期して、画像データとしてフレームメモリ装置１４に書き込まれる。フレームメモリ装置１４は、ＤＲＡＭと、アドレスコントローラと、ＤＲＡＭコントローラ（何れも不図示）と、を含んでいる。アドレスコントローラは、ドットクロック信号ＤＣ１と、水平同期信号ＨＳ１と、垂直同期信号ＶＳ１と、に基づいて、ＤＲＡＭ内の記憶領域を指定するアドレスを形成する。そして、ＤＲＡＭコントローラは、形成されたアドレスに基づいて当該記憶領域へ画像信号ＩＶ２を画像データとして書き込む。
【００１７】
読出同期発生部１５は、ドットクロック信号ＤＣ２と、水平同期信号ＨＳ２と、垂直同期信号ＶＳ２と、を生成する。
【００１８】
さて、フレームメモリ装置１４に書き込まれた画像データは、ドットクロック信号ＤＣ２と、水平同期信号ＨＳ２と、垂直同期信号ＶＳ２と、に同期して、画像信号ＩＶ３として読み出される。具体的には、まず、上述のアドレスコントローラが、ドットクロック信号ＤＣ２と、水平同期信号ＨＳ２と、垂直同期信号ＶＳ２と、に基づいて、ＤＲＡＭ内の記憶領域を指定するアドレスを形成する。そして、上述のＤＲＡＭコントローラが、形成されたアドレスに基づいて当該記憶領域から画像データを画像信号ＩＶ３として読み出す。
【００１９】
なお、フレームメモリ装置１４を含んだ上記構成によって、外部装置が出力した画像信号ＩＶ１の周波数（ドット周波数、水平周波数、垂直周波数）と、液晶パネル１９の駆動周波数との間に差があっても、画像信号ＩＶ１が表す画像が液晶パネル１９によって正しく形成される。
【００２０】
フレームメモリ装置１４から出力された画像信号ＩＶ３は、Ｄ／Ａ変換器１６に供給される。Ｄ／Ａ変換器１６は、ドットクロック信号ＤＣ２に同期して画像信号ＩＶ３をアナログ化し、このことで画像信号ＩＶ３に基づいた画像信号ＩＶ４を生成する。なお、画像信号ＩＶ４はドットクロック信号ＤＣ２と、水平同期信号ＨＳ２と、垂直同期信号ＶＳ２と、に同期している。つまり、画像信号ＩＶ４のドット周波数はドットクロック信号ＤＣ２の周波数と同じであり、画像信号ＩＶ４の水平周波数は水平同期信号ＨＳ２の周波数と同じであり、さらに画像信号ＩＶ４の垂直周波数は垂直同期信号ＶＳ２の周波数と同じである。
【００２１】
タイミング発生回路１７は、液晶パネル１９によって形成される画像の水平位置および垂直位置を規定する機能を有する。タイミング発生回路１７の具体的な構成は、以下の通りである。
【００２２】
図２に示すように、タイミング発生回路１７は、水平基準信号発生器１７ａと、垂直基準信号発生器１７ｂと、を有している。
【００２３】
このうち水平基準信号発生器１７ａは、ドットクロック信号ＤＣ２と、水平同期信号ＨＳ２と、に基づいて、水平タイミング信号ＨＴＭＧと、クロックパルスＤＬＸと、を出力する。ここで、水平同期信号ＨＳ２の周波数と、水平タイミング信号ＨＴＭＧの周波数とは同じである。また、水平タイミング信号ＨＴＭＧは、駆動回路１８に含まれる水平シフトレジスタ（不図示）へスタートパルスとして入力される。そして、水平タイミング信号ＨＴＭＧは、水平シフトレジスタが液晶パネル１９内の複数のデータ線（不図示）へデータ信号（画像信号ＩＶ４の水平・垂直有効表示期間の部分）を順次供給し始めるタイミングの基準になる。このため、液晶パネル１９上の画像の水平位置は、水平タイミング信号ＨＴＭＧによって決まる。一方、クロックパルスＤＬＸは、水平シフトレジスタが複数のデータ線へデータ信号を順次供給するそれぞれのタイミングを表している。
【００２４】
一方、垂直基準信号発生器１７ｂは、水平同期信号ＨＳ２と、垂直同期信号ＶＳ２と、に基づいて、垂直タイミング信号ＶＴＭＧと、クロックパルスＤＬＹと、を出力する。ここで、垂直同期信号ＶＳ２の周波数と、垂直タイミング信号ＶＴＭＧの周波数とは同じである。垂直タイミング信号ＶＴＭＧは、駆動回路１８に含まれる垂直シフトレジスタ（不図示）へスタートパルスとして入力される。そして、垂直タイミング信号ＶＴＭＧは、垂直シフトレジスタが液晶パネル１９内の複数の走査線（不図示）を順次選択し始めるタイミングの基準になる。このため、液晶パネル１９上の画像の垂直位置は、垂直タイミング信号ＶＴＭＧによって決まる。一方、クロックパルスＤＬＹは、垂直シフトレジスタが複数の走査線を順次選択するそれぞれのタイミングを表している。
【００２５】
図１に戻り、駆動回路１８は、水平タイミング信号ＨＴＭＧと、クロックパルスＤＬＸと、垂直タイミング信号ＶＴＭＧと、クロックパルスＤＬＹと、Ｄ／Ａ変換器１６からの画像信号ＩＶ４と、に応じて、液晶パネル１９を駆動するように構成されている。駆動装置が液晶パネル１９を駆動することで、画像信号ＩＶ４に応じた画像が液晶パネル１９によって形成される。なお、駆動回路１８が液晶パネル１９を駆動する方法は、特許第３９６５８７５号公報などの記載に基づけば当業者に理解されるので、ここでは省略する。また、本実施形態の液晶パネル１９は、マトリクス型の液晶パネルである。
【００２６】
光源部２０は、ランプ２０Ａと照明光学系２０Ｂとを有しており、このような構成によって、光源部２０は光束を発生する。光源部２０が発生した光束は、画像を形成している液晶パネル１９に入射し、液晶パネル１９によって空間的に変調される。投写光学系２１は、変調された光束、または形成された画像、を投写するように配置されている。
【００２７】
制御部２２は、ＣＰＵ２３と、ＲＡＭ２４と、ＲＯＭ２５と、これらを相互に通信可能に接続するバス２６と、ＣＰＵアクセスコントローラ（不図示）と、を有している。ＲＡＭ２４は、ＣＰＵ２３が処理を実行する際の記憶領域として用いられる。ＲＯＭ２５は、ＣＰＵ２３によって実行される処理を規定するプログラムを格納している。また、ＣＰＵ２３は、ＣＰＵアクセスコントローラを介して、書込同期発生部１２と、フレームメモリ装置１４と、読出同期発生部１５と、タイミング発生回路１７とに、それぞれアクセスできる。
【００２８】
後述する「計時カウンタ」は、制御部２２が実現する機能の一つである。制御部２２が「計時カウンタ」として機能する場合には、制御部２２は、所定時間長さＴＳの経過を繰り返し検出する。そして、後述するように本実施形態では、計時カウンタが所定時間長さＴＳの経過を検出する毎に、タイミング発生回路１７は、液晶パネル１９によって形成される画像の水平位置および垂直位置の少なくとも一方を変える。
【００２９】
図３（ａ）は、液晶パネル１９によって形成された画像の水平位置と垂直位置とが、それぞれ標準位置にある場合を示している。この場合、水平タイミング信号ＨＴＭＧと水平同期信号ＨＳ２との間の位相関係は、液晶パネル１９によって形成された画像の水平位置が標準位置になるように、セットされている。同様に、垂直タイミング信号ＶＴＭＧと垂直同期信号ＶＳ２との間の位相関係は、液晶パネル１９によって形成された画像の垂直位置が標準位置になるように、セットされている。
【００３０】
図３（ｂ）は、画像の水平位置を変える場合を示している。この場合、まず、タイミング発生回路１７における水平基準信号発生器１７ａが、水平タイミング信号ＨＴＭＧの位相を水平同期信号ＨＳ２に対して遅らせる。例えば、水平基準信号発生器１７ａは、水平タイミング信号ＨＴＭＧの位相を、水平同期信号ＨＳ２に対して、画像の１画素分（ドットクロック信号ＤＣ２の１周期分）だけ遅延させる。そうすると、図３（ｂ）に示すように、画像の水平位置が標準位置から変わる。
【００３１】
その後、画像の水平位置が標準位置（図３（ａ））に戻るように、水平基準信号発生器１７ａは、水平タイミング信号ＨＴＭＧの位相を水平同期信号ＨＳ２に対して戻す。なお、理解を容易にする目的で、図３（ｂ）では、画像の水平位置の変化が実際よりも誇張されている。また、後出の図３（ｃ）および（ｄ）も同様に誇張されている。
【００３２】
図３（ｃ）は、画像の垂直位置を変える場合を示している。この場合、まず、タイミング発生回路１７における垂直基準信号発生器１７ｂが、垂直タイミング信号ＶＴＭＧの位相を垂直同期信号ＶＳ２に対して遅らせる。例えば、垂直基準信号発生器１７ｂは、垂直タイミング信号ＶＴＭＧの位相を、垂直同期信号ＶＳ２に対して、画像の１走査線（水平同期信号ＨＳ２の１周期分）だけ遅延させる。そうすると、図３（ｃ）に示すように、画像の垂直位置が標準位置から変わる。
【００３３】
その後、画像の垂直位置が標準位置（図３（ａ））に戻るように、垂直基準信号発生器１７ｂは、垂直タイミング信号ＶＴＭＧの位相を垂直同期信号ＶＳ２に対して戻す。
【００３４】
図３（ｄ）は、画像の水平位置および垂直位置の双方を変える場合を示している。この場合、まず、水平基準信号発生器１７ａが水平タイミング信号ＨＴＭＧの位相を水平同期信号ＨＳ２に対して遅らせ、かつ垂直基準信号発生器１７ｂが垂直タイミング信号ＶＴＭＧの位相を垂直同期信号ＶＳ２に対して遅らせる。そうすると、図３（ｄ）に示すように、標準位置に対して、画像の水平位置および垂直位置の双方が変わる。
【００３５】
その後、画像の水平位置および垂直位置がそれぞれの標準位置（図３（ａ））に戻るように、水平基準信号発生器１７ａが水平タイミング信号ＨＴＭＧの位相を水平同期信号ＨＳ２に対して戻し、さらに垂直基準信号発生器１７ｂが垂直タイミング信号ＶＴＭＧの位相を垂直同期信号ＶＳ２に対して戻せばよい。
【００３６】
図４を参照しながら、画像の水平位置が変わる場合を例にして、そのフローをより詳細に説明する。
【００３７】
まず、初期化処理として、タイミング発生回路１７は、制御部２２の制御に応じて、画像の水平位置および垂直位置がそれぞれ標準位置になるように、水平タイミング信号ＨＴＭＧの位相を水平同期信号ＨＳ２に対してセットし、垂直タイミング信号ＶＴＭＧの位相を垂直同期信号ＶＳ２に対してセットする（ステップＳＡ０）。
【００３８】
次に、制御部２２は、変数ｉを初期化する。この結果、図４の場合では、変数ｉに「０」が格納される（ステップＳＡ１）。その後、制御部２２は、経過した累積時間を示す変数ｔｃを初期化する。この結果、図４の場合では、変数ｔｃに「０」が格納される（ステップＳＡ２）。そして、制御部２２は、時間の経過にあわせて、例えば１秒単位で変数ｔｃの値を増加させ、このことで累積時間を計測する。なお、変数ｉおよび変数ｔｃは、ＲＡＭ２４内のそれぞれの記憶領域によって実現される。
【００３９】
次に、制御部２２は、変数ｔｃ（または変数ｔｃが表す累積時間）が所定時間長さＴＳ以上か否かを判定する（ステップＳＡ３）。変数ｔｃが所定時間長さＴＳ未満の場合には（ステップＳＡ３が「Ｎｏ」）、変数ｔｃが所定時間長さＴＳ以上になるまで、制御部２２はステップＳＡ３を繰り返す。
【００４０】
変数ｔｃが所定時間長さＴＳ以上である場合には（ステップＳＡ３が「Ｙｅｓ」）、制御部２２は、変数ｉが「０」か否かを判定する（ステップＳＡ４）。変数ｉが「０」の場合には（ステップＳＡ４が「Ｙｅｓ」）、制御部２２の制御に応じて水平基準信号発生器１７ａは、水平タイミング信号ＨＴＭＧの位相を水平同期信号ＨＳ２に対して遅らせる（ステップＳＡ５）。
【００４１】
次に、制御部２２は、変数ｉに「１」を加える（ステップＳＡ６）。つまり、ステップＳＡ６において、変数ｉの値がインクリメントされる。ステップＳＡ６の後、処理はステップＳＡ２に戻る。そうすると、ステップＳＡ２において変数ｔｃが初期化される。
【００４２】
さて、ステップＳＡ４において変数ｉが「０」でない場合には（ステップＳＡ４が「Ｎｏ」）、制御部２２の制御に応じて水平基準信号発生器１７ａは、水平タイミング信号ＨＴＭＧの位相を水平同期信号ＨＳ２に対して戻す（ステップＳＡ７）。ステップＳＡ７の後、処理は、上述のステップＳＡ１に戻る。そうすると、ステップＳＡ１において変数ｉが初期化される。
【００４３】
以上のような処理によって、計時カウンタが所定時間長さＴＳの経過を検出する毎に、液晶パネル１９によって形成される画像の水平位置が変わる。
【００４４】
なお、上記フローに代えて、ステップＳＡ５およびステップＳＡ７のそれぞれにおいて、画像の垂直位置が変わるように、制御部２２がタイミング発生回路１７を制御してもよい。また、ステップＳＡ５およびステップＳＡ７のそれぞれにおいて、水平位置と垂直位置との双方が変わるように、制御部２２がタイミング発生回路１７を制御してもよい。
【００４５】
上述の所定時間長さＴＳは、液晶パネルにおける同一の画素部に同じ大きさの電圧が印加され続けた場合に生じる焼き付きが許容範囲内に収まるような時間長さであり、事前の試験結果から定められている。そして、本実施形態では、計時カウンタが所定時間長さＴＳの経過を検出する毎に、液晶パネル１９によって形成される画像の水平位置および垂直位置の少なくとも一方が変わる。このことから、同一の画素部に同じ大きさの電圧が印加される可能性が低下し、そしてこのため、形成された画像の焼き付きが生じにくい。なお、典型的な所定時間長さＴＳは約１０秒である。
【００４６】
なお、本実施形態では、画像の水平位置の変化が１画素または１走査線なので、ユーザは画像の変位を知覚しにくい。ここで、画像の水平位置の変化がたった１画素または１走査線であっても、画像におけるオブジェクトの輪郭の焼き付きが防止される。
【００４７】
（実施形態２）
画像のシーンチェンジの前後では、液晶パネル１９の同一画素部に同じ大きさの電圧が印加される可能性が低い。そこで、本実施形態では、画像のシーンチェンジが検出される毎に、計時カウンタによって計測されている累積時間が初期化される。そしてこのことで、本実施形態によれば、画像の焼き付きの可能性が低下するとともに、画像の水平位置や垂直位置を変える回数が減る。なお、以下の説明において、実施形態１の構成要素と同様な構成要素には、実施形態１と同じ参照符号が付されている。
【００４８】
図５に示す表示システム２は、実施形態１の表示システム１における構成に加えて、シーンチェンジ検出器３０を有している。シーンチェンジ検出器３０は、Ａ／Ｄ変換器１３から出力された画像信号ＩＶ２と、ドットクロック信号ＤＣ１と、水平同期信号ＨＳ１と、垂直同期信号ＶＳ１と、に応じて、画像信号ＩＶ２が表す画像のシーンチェンジを検出する。なお、この構成に代えて、シーンチェンジ検出器３０は、Ｄ／Ａ変換器１６から出力された画像信号ＩＶ４と、ドットクロック信号ＤＣ２と、水平同期信号ＨＳ２と、垂直同期信号ＶＳ２と、応じて、画像信号ＩＶ４が表す画像のシーンチェンジを検出するように構成されてもよい。
【００４９】
本実施形態では、シーンチェンジ検出器３０は、隣接した２フレーム間での平均輝度値の差に基づいて、２フレーム間でのシーンチェンジを検出する。例えば、シーンチェンジ検出器３０は、平均輝度値の差が所定の範囲外の場合には、シーンチェンジが検出されたことを示す信号を制御部２２に供給し、平均輝度値の差が所定の範囲内の場合には、シーンチェンジが無いことを示す信号を制御部２２に供給する。
【００５０】
シーンチェンジが検出された場合には、計時カウンタ（制御部２２）は、既に計測した累積時間を初期化し、検出されたシーンチェンジの時点から再び累積時間を計測する。そして、次のシーンチェンジが検出されるよりも先に、累積時間が所定時間長さＴＳに達したことを計時カウンタが検出すると、タイミング発生回路１７は、液晶パネル１９によって形成された画像の水平位置および垂直位置の少なくとも一方を変える。
【００５１】
図６を参照しながら、画像の水平位置が変わる場合を例にして、そのフローをより詳細に説明する。
【００５２】
まず、初期化処理として、タイミング発生回路１７は、制御部２２の制御に応じて、画像の水平位置および垂直位置がそれぞれ標準位置になるように、水平タイミング信号ＨＴＭＧの位相を水平同期信号ＨＳ２に対してセットし、垂直タイミング信号ＶＴＭＧの位相を垂直同期信号ＶＳ２に対してセットする（ステップＳＢ０）。
【００５３】
次に、制御部２２は、変数ｉを初期化する。この結果、図６の場合には、変数ｉに「０」が格納される（ステップＳＢ１）。その後、制御部２２は、経過した累積時間を示す変数ｔｃを初期化する。この結果、図６の場合には、変数ｔｃに「０」が格納される（ステップＳＢ２）。そして、制御部２２は、時間の経過にあわせて、例えば５秒単位で変数ｔｃの値を増加させ、このことで、累積時間を計測する。なお、変数ｉおよび変数ｔｃは、上述のＲＡＭ２４内のそれぞれの記憶領域によって実現される。
【００５４】
次に、制御部２２は、シーンチェンジ検出器３０がシーンチェンジを検出したか否かを判定する（ステップＳＢ３）。シーンチェンジが検出された場合には（ステップＳＢ３が「Ｙｅｓ」）、処理はステップＳＢ２に戻る。そして、ステップＳＢ２において、変数ｔｃが初期化される。
【００５５】
一方、シーンチェンジがない場合には（ステップＳＢ３が「Ｎｏ」）、処理はステップＳＢ４に進む。そして、ステップＳＢ４において、制御部２２は、変数ｔｃ（または変数ｔｃが表す累積時間）が所定時間長さＴＳ以上か否かを判定する。変数ｔｃが所定時間長さＴＳ未満の場合には（ステップＳＢ４が「Ｎｏ」）、処理はステップＳＢ３に戻る。そして、シーンチェンジがない場合に限り、変数ｔｃが所定時間長さＴＳ以上になるまで、制御部２２はステップＳＢ３とステップＳＢ４とを繰り返す。
【００５６】
変数ｔｃが所定時間長さＴＳ以上である場合には（ステップＳＢ４が「Ｙｅｓ」）、制御部２２は、変数ｉが「０」か否かを判定する（ステップＳＢ５）。変数ｉが「０」の場合には（ステップＳＢ５が「Ｙｅｓ」）、制御部２２の制御に応じて水平基準信号発生器１７ａは、水平タイミング信号ＨＴＭＧの位相を水平同期信号ＨＳ２に対して遅らせる（ステップＳＢ６）。
【００５７】
次に、制御部２２は、変数ｉに「１」を加える（ステップＳＢ７）。つまり、ステップＳＢ７において、変数ｉの値がインクリメントされる。ステップＳＢ７の後、処理はステップＳＢ２に戻る。そして、ステップＳＢ２において、変数ｔｃが初期化される。
【００５８】
さて、ステップＳＢ５において変数ｉが「０」でない場合には（ステップＳＢ５が「Ｎｏ」）、制御部２２の制御に応じて水平基準信号発生器１７ａは、水平タイミング信号ＨＴＭＧの位相を水平同期信号ＨＳ２に対して戻す（ステップＳＢ８）。ステップＳＢ８の後、処理は、上述のステップＳＢ１に戻る。そして、ステップＳＢ１において、変数ｉが初期化される。
【００５９】
なお、上記フローに代えて、ステップＳＢ６およびステップＳＢ８のそれぞれにおいて、画像の垂直位置が変わるように、制御部２２がタイミング発生回路１７を制御してもよい。また、ステップＳＢ６およびステップＳＢ８のそれぞれにおいて、水平位置と垂直位置との双方が変わるように、制御部２２がタイミング発生回路１７を制御してもよい。
【００６０】
さて、画像にシーンチェンジがあれば、シーンチェンジの前後で液晶パネルの同一画素部に同じ大きさの電圧が印加される可能性が低くなる。そこで、上記フローによれば、シーンチェンジが検出される場合に、計時カウンタ（制御部２２）が計測している累積時間が初期化されるので、画像の焼き付きの可能性を低下させつつ、画像の水平位置や垂直位置を変える回数を減らせる。
【図面の簡単な説明】
【００６１】
【図１】実施形態１の表示システムを示すブロック図。
【図２】実施形態１のタイミング発生回路を示すブロック図。
【図３】（ａ）は画像が標準位置にある場合を示す模式図であり、（ｂ）は画像の水平位置が標準位置から変化した場合を示す模式図であり、（ｃ）は画像の垂直位置が標準位置から変化した場合を示す模式図であり、（ｄ）は画像の水平位置および垂直位置がそれぞれの標準位置から変化した場合を示す模式図である。
【図４】実施形態１において画像の水平位置を変える場合のフローを示す図。
【図５】実施形態２の表示システムを示す図。
【図６】実施形態２において画像の水平位置を変える場合のフローを示す図。
【符号の説明】
【００６２】
１，２…表示システム、１１…入力端子、１２…書込同期発生部、１３…Ａ／Ｄ変換器、１４…フレームメモリ装置、１５…読出同期発生部、１６…Ｄ／Ａ変換器、１７…タイミング発生回路、１７ａ…水平基準信号発生器、１７ｂ…垂直基準信号発生器、１８…駆動回路、１９…液晶パネル、２０…光源部、２１…投写光学系、２２…制御部、２３…ＣＰＵ、２４…ＲＡＭ、２５…ＲＯＭ、２６…バス、３０…シーンチェンジ検出器。
【図１】
2009163172.tif 000003
【図２】
2009163172.tif 000004
【図３】
2009163172.tif 000005
【図４】
2009163172.tif 000006
【図５】
2009163172.tif 000007
【図６】
2009163172.tif 000008